(57)【要約】【課題】従来の遠近両用めがねは、遠近両用めがね装着者が自身の眼球の方向や見る角度を変えて上目遣いや下目遣いに使用していたが、これは不自然な見方使い方であり目の疲れを誘発しやすい。また、オプションの商品で当接板をスライドさせて、めがねを上下に移動させて、遠近の切替えをするものがあるが、これは遠近の切替え操作するごとにめがねを一旦耳から取り外してから出ないと、確実な遠近の切替え操作が出来ない使い勝手の悪さ不便さがある。【解決手段】そこで本発明は、従来遠近両用めがねのレンズやレンズの枠又はそれらをつなぐブリッジに固定されていた当接板のアームの固定部を前記ブリッジに回動自在に軟着して動きを生み出すとともに軟着した両者の間には、一定の摩擦力を持たせ回動した前記当接板のアームの任意の回動角度が保持される仕組みを提供する。【選択図】図１
2013137366.tif 000002
【特許請求の範囲】
【請求項１】
遠近両用めがねの左右のレンズ６、又は前記レンズ６の枠５を繋ぐ遠近両用めがねのブリッジ３に、アーム１を備えた遠近両用めがねの遠近の切替え装置を備えた遠近両用めがねであって、
前記アーム１の他方又は他方近傍を、前記ブリッジ３を軸として周り込み又は複数の部材で挟み、回動自在に軟着し、前記ブリッジ３と前記アーム１の間に一定の摩擦力を持たせて任意の回動角度を保持できる遠近の切替え装置を備えた遠近両用めがね。
【請求項２】
請求項１に記載の遠近切り替え装置が、遠近両用めがねの左右のレンズ６、又は前記レンズ６の枠５を繋ぐ遠近両用めがねのブリッジ３に、アーム１の一方が２つに分岐し、それぞれの端部に可動な当接板４を有し、前記アーム１の他方又は他方近傍が前記ブリッジ３を回りこみ前記アーム１に止着される鼻当８であることを特徴とする遠近の切替え装置を備えた遠近両用めがね。
【請求項３】
請求項１に記載の遠近切り替え装置が、遠近両用めがねの左右のレンズ６、又は前記レンズ６の枠５を繋ぐ遠近両用めがねのブリッジ３に、アーム１の一方が２つに分岐し、それぞれの端部に凸状下縁７２を有し、分岐箇所に凹状上縁７１を有しており、前記アーム１の他方又は他方近傍が前記ブリッジ３を回りこみアーム１に止着される鼻当８であることを特徴とする遠近の切替え装置を備えた遠近両用めがね。
【発明の詳細な説明】
【技術分野】
【０００１】
本発明はめがねの一枚のレンズの上部を遠視用に、その下部を近視用に供する遠近の切替え装置を備えた遠近両用めがねに関するものである。
【背景技術】
【０００２】
めがねの一枚のレンズの上部を遠視用に、その下部を近視用に供する遠近両用めがねは、めがねの装着者が眼球の方向や見る角度を変え、遠くの物を見るときには上目遣いに、近くの物を見るときには下目遣いにして見るのが一般的な使い方である。しかし物を見るには正視するのが基本であり、これはやはり不自然な見方、不自然な使い方で無理があり、目の疲れも誘発しやすい。
【先行技術文献】
【特許文献】
【０００３】
【特許文献１】特開平０７−１９９１２６号公報
【発明の概要】
【発明が解決しようとする課題】
【０００４】
めがねの一枚のレンズの上部のレンズを遠視用に下部を近視用に供する遠近両用めがねは遠近両用めがね装着者が眼球の方向や見る角度を変えて遠くの物を見るときには、上目遣いに、近くの物を見るときには下目遣いに見るのが一般的な使いかたである。
【０００５】
しかし、物を見るには、やはり正視するのが基本であり、これは不自然な見方、不自然な使い方であって、無理があり、目の疲れも誘発しやすい。また、オプションの商品で当接板を上下にスライドさせることによって、遠近両用めがねの遠近の切替えをする物があるが、これは、当接板をスライドさせるその操作のたびごとにかけているめがねを一旦耳から取り外してからでないと、確実な操作が出来ない使い勝手の悪さ不便さがある。
【課題を解決するための手段】
【０００６】
遠近両用めがねのレンズはレンズの上部が遠視用に、レンズの下部が近視用に供される物であるから、遠近両用めがねの遠近の切替え操作は、遠近両用めがね全体を遠近両用めがね装着者の顔面に沿って上下に移動させる操作によって行うのが合理的であるが、上下に移動させた遠近両用めがねは、遠近両用めがね装着者の顔面に沿った上下の任意の位置に、とどめおく必要があるけれども、従来簡単な操作でそのような機能を果たす遠近両用めがねは無かった。
【０００７】
そこで本発明は、従来遠近両用めがねのレンズの枠又はそれらをつなぐブリッジに固定されていた当接板を装着するアームの固定部を遠近両用めがねのブリッジを軸として周り込み又は複数の部材で挟み縦方向に回動自在に軟着する可動式にした。
【０００８】
さらに、この軟着する遠近両用めがねのブリッジと当接板のアームの間には、一定の摩擦力を持たせ、当接板のアームが勝手に縦方向の回動をしないようにすると共に、前記摩擦力に抗して外部からの力を加え当接板のアームを回動させると、回動したその任意の縦方向の回動角度を保持することが出来るようにした。
【０００９】
これは、当接板のアームの縦方向の回動角度の変化と遠近両用めがね装着者の顔面における遠近両用めがねの上下の位置の移動は連動する仕組みであり、軟着する遠近両用めがねのブリッジと当接板のアームの間の摩擦力が当接板のアームの縦方向に回動したその角度を保持すれば、遠近両用めがね装着者の鼻近傍に当接する当接板からアームを介してめがね前部の荷重を支え、おのずと遠近両用めがね装着者の顔面における遠近両用めがねの上下の任意の位置に決定し、保持される。
【発明の効果】
【００１０】
本発明の遠近の切替え装置を備えた遠近両用めがねは、既存のオプション商品のように当接板を上下にスライドさせることによって、遠近の切替え操作をするその度ごとにかけている遠近両用めがねを一旦耳から取り外してからでないと、確実な遠近の切替え操作が出来ないという使い勝手の悪さ不便さが無い。遠近両用めがねの遠近の切替え操作は遠近両用めがねをかけたままで簡単迅速確実に遠近の切替え操作をすることが出来る。また、遠近両用めがね装着者の顔面における遠近両用めがねの上下の位置が無段で細かく設定することができるのも本発明の特徴である。
【００１１】
また、従来の上目遣いや、下目遣いで見る不自然な見方、不自然な使い方をする必要が無く、遠くの物も近くの物も正視して正しく見ることが出来るので、目の疲れも誘発しにくい。また、遠近の切替え操作が極めてたやすく出来るため、例えば、家庭で少しはなれたテレビを見ながら手元では新聞や雑誌も読みたいといったようなときには、特に便利で、遠近の切替え操作にも面倒を感じることも無く、対応することが出来る。
【図面の簡単な説明】
【００１２】
【図１】実施例１の当接板４のアーム１を遠近両用めがねのブリッジ３に軟着した状態を示す斜視図
【図２】実施例１の遠近両用めがねのブリッジ３に軟着した当接板４のアーム１の遠くの物を見るときの作動状況を示す側面図
【図３】実施例１の遠近両用めがねのブリッジ３に軟着した当接板４のアーム１の近くの物を見るときの作動状況を示す側面図
【図４】実施例１の当接板４とそのアーム１が一体となった形状の鼻当８のアーム側を遠近両用めがねのブリッジ３に軟着した状態を示す実施例２の斜視図
【発明を実施するための形態】
【００１３】
従来、遠近両用めがねの当接板は遠近両用めがねのレンズやレンズの枠、またはそれらをつなぐ遠近両用めがねのブリッジに固定されたアームの先に装着されていた。固定された物から動きを生み出すことは出来ない。
【００１４】
遠近両用めがねの遠近の切替え操作をするためには、遠近両用めがねの中に、遠近両用めがねのめがね自体を動かすことの出来る機能が備わっていなければならない。そこで本発明は従来の遠近両用めがねのレンズやレンズの枠、またはそれらをつなぐ遠近両用めがねのブリッジに固定されていた当接板を装着するアームの付け根の部位を遠近両用めがねのレンズまたはレンズの枠をつなぐブリッジを周り込み又は複数の部材で挟み回動自在に軟着する可動式にした。
【００１５】
また、前記ブリッジと当接板のアームの両者の間には一定の摩擦力を持たせ、当接板のアームが回動したその任意の回動角度を保持することが出来るようにした。
【実施例１】
【００１６】
図１は、本発明の実施例を示す斜視図で、遠近両用めがねの左右のレンズ６または左右のレンズ６の枠５をつなぐブリッジ３に、アーム１の一方が二つに分岐し、それぞれの端部に稼働な当接板４を有するアーム１の他方の又は他方近傍がブリッジ３を周り込み又は複数の部材で挟み回動自在に軟着し、ビスやねじ２の締め具合により緩くなくきつくなく調節し、軟着する両者（アーム１，当接板４）の間に一定の摩擦力を持たせる。
【００１７】
ここで云う一定の摩擦力とは、外部から少し力を加えれば自在に回動させることができるものの、外部からの力を解除すれば、ただちにその時点の当接板４のアーム１の回動角度が保持される強さを備えた摩擦力を云う。
【００１８】
この遠近両用めがねのブリッジ３と当接板４のアーム１の軟着する部位の回動を滑らかにするには、遠近両用めがねのブリッジ３の素材は丸棒状で直線的であることが望ましく、また、両者の軟着する部位の摩擦力を増すためには、丸棒状の素材の直径は大きいほうがよい。
【００１９】
本発明の遠近両用めがねの遠近の切替え操作について説明すれば、図１において、遠近両用めがねのつるの前方近傍を持って自身の顔面に押し当て、当接板４を鼻の上方側方近傍に密着させ、ここを支点として遠近両用めがね装着者の顔面に沿って少し力をいれ、上方又は下方に移動させる。この力が遠近両用めがねのブリッジ３とこれに軟着する当接板４のアーム１との摩擦力を超えると当接板４のアーム１は遠近両用めがねのブリッジ３を軸として回動し、前下がりに、又は前上がりに角度を変える。遠近両用めがねのブリッジ３は横方向のものであるからこれを軸として軟着する当接板４のアーム１の回動方向は縦方向の回動となる。
【００２０】
また、この当接板４のアーム１の縦方向の回動角度の変化と遠近両用めがねの遠近両用めがね装着者の顔面に沿う上下の位置が連動する仕組みとなっていて、これが本発明の大きな特徴である。ここで、遠近両用めがねの遠近の切替え操作を終え、遠近両用めがねのつるの前方近傍を持った操作の手を離すと、遠近両用めがねのブリッジ３と当接板４のアーム１の軟着する部位の摩擦力により、その時点の当接板４のアーム１の縦方向の回動角度が直ちに保持され、ひいてはこれに連動する遠近両用めがね装着者の顔面における遠近両用めがねの上下の位置が特定され保持される。
【００２１】
次に、遠くの物を見るときの操作方法について説明すれば、遠近両用めがねのつるの前方近傍を持って遠近両用めがねを遠近両用めがね装着者の顔面に沿って少し力をいれ、図２の側面図に示すごとく、すこし下方に押し下げる。この力が、遠近両用めがねのブリッジ３と当接板４のアーム１の軟着する部位の両者の摩擦力を超えると、遠近両用めがね装着者の鼻上方側方近傍に密着する当接板４を支点として、当接板４のアーム１は、軟着する遠近両用めがねのブリッジ３を軸として縦方向に回動し、角度が前下がりになる。
【００２２】
このようにして、遠くの見たいもの、下方にずり下げられた遠近両用めがねの遠視用に供されるレンズの上部の遠視部Ａ、めがね装着者の眼球の位置と角度、この三者が略一直線になったら、そこで遠近両用めがねのつる前方近傍を持った操作の手を離すと、当接板４のアーム１の前下がりのこの時点の縦方向の回動角度が当接板４のアーム１と遠近両用めがねのブリッジ３の軟着する両者の間の摩擦力により、保持されひいては、これに連動する遠近両用めがね装着者の顔面に沿う遠近両用めがねの上下の位置も直ちに保持され、安定して、遠くのものを正視することが出来る。
【００２３】
また、近くのものを見るときには、図３の側面図に示すごとく遠近両用めがねのつるの前方近傍を持って、上述同様当接板４を自身の鼻の上方側方近傍に密着させ、ここを支点として遠近両用めがねを遠近両用めがね装着者の顔面に沿って、上方に少し力を入れて押し上げる。この力が遠近両用めがねのブリッジ３と当接板４のアーム１の軟着する部位の両者の摩擦力を超えると、遠近両用めがね装着者の鼻の上方側方近傍に密着させた当接板４を支点として、当接板４のアーム１は軟着する遠近両用めがねのブリッジ３を軸として、縦方向に回動し、角度が前上がりになる。
【００２４】
このようにして、近くの見たいもの、押し上げられた遠近両用めがねの近視用に供されるレンズ６の下部の近視部Ｂ，遠近両用めがね装着者の眼球の位置と角度、この三者が略一直線になったらそこで遠近両用めがねのつるの前方近傍を持った操作の手を離すと、この時点のブリッジ３を軸として、前上がりに縦方向に回動した当接板４のアーム１の回動角度は、遠近両用めがねのブリッジ３と当接板４のアーム１の軟着する部位の摩擦力により保持され、ひいては、これに連動する遠近両用めがね装着者の顔面における上下の位置も直ちに保持され、安定して近くのものを正視してみることが出来る。
【００２５】
なお、上記遠近両用めがねの遠近の切替え操作において当接板４のアーム１の縦方向の回動角度が前下がりになるのか、前上がりになるのか又はその傾斜角度が大きくなるのか小さくなるのかは、遠近両用めがねのブリッジ３をレンズ６の中心よりも上方よりに設置するのか、逆にレンズ６の中心よりも下方よりに設置するのかによって異なるが、本発明の実施例においては、ブリッジ３はレンズ６の中央近傍の高さに設置した例について述べた。
【実施例２】
【００２６】
実施例１で述べた鼻当はアーム１とこれに可動に装着した当接板４の二つで構成するものであったが、この実施例２では、図４のごとく、アーム１と二つの当接板４で一体となった鼻当７を用いた例を示したもので、アーム１の一方が二つに分岐し、それぞれの端部に凸状下縁７２を有し、分岐箇所に凹状上縁７１を有しており、アーム１の他方または他方近傍がブリッジ３を軸として周り込み、アーム１に止着されている鼻当構造である。
【００２７】
この鼻当は実施例１の鼻当よりも鼻及び鼻近傍に当接する面積が広く遠近両用めがねの平常の装着時は勿論のこと当接板を鼻に押し当てて、遠近の切替え操作をするときに、鼻にかかる圧力を軽減し、和らげる効果がある。
【００２８】
なお、当鼻当の分岐箇所の凹状上縁７１には、遠近両用めがね装着者からして、上方前方に丸みをもった折り返しを設けてあり、これは、遠近両用めがねの遠近の切替え操作において、鼻当が前上がりに角度を変えたときにも、鼻に優しく当接するように配慮したものである。
【００２９】
このようにしてなる本発明は、遠近両用めがねの遠近の切替え操作が簡単、迅速、確実にできるため、既存のオプション商品のように、かけている遠近両用めがねを一旦耳から取り外してからでないと確実な遠近の切替え操作ができないといった使い勝手の悪さ、不便さがなく、遠近両用めがねはかけたままで遠近の切替え操作が即座にたやすく確実に出来る。また、従来のように、眼球の方向や角度をかえて、上目遣いや下目遣いにして、見る不自然な見方使い方をする必要がなく、遠くのものも近くのものも、正視して正しく見ることができ、目の疲れを誘発することもない。
【００３０】
さらには、例えば家庭で、少しはなれたテレビを見ながら、手元では、新聞や雑誌も読みたいといったようなときにも遠近の切替え操作に面倒を感じることなく、気軽に対応することができる。
【符号の説明】
【００３１】
１    アーム
２    ビス又は小ネジ
３    ブリッジ
４    当接板
５    レンズの枠
６    レンズ
７    鼻当
８    鼻当（アーム１，当接板４）
７１  凹状上縁
７２  凸状下縁
Ａ    レンズ６の遠視部
Ｂ    レンズ６の近視部
【図１】
2013137366.tif 000003
【図２】
2013137366.tif 000004
【図３】
2013137366.tif 000005
【図４】
2013137366.tif 000006